(57)【特許請求の範囲】
【請求項１】
屋外に設けられて太陽光を導入する採光手段と、前記採光手段からの光をその内面で反射させながら所定方向に導く筒状の導光手段と、屋内に設けられて前記導光手段からの光を屋内に照射する照射手段と、を備えた採光装置において、
前記導光手段の一端部は前記採光手段に連結され、その他端部は前記照射手段に連結されており、前記採光手段は屋外と連通され、また前記照射手段は屋内と密封されていることを特徴とする採光装置。
【請求項２】
前記照射手段は拡散カバー部材から構成され、前記拡散カバー部材は、固定用リングを介して屋内の天井に取り付けられており、前記固定用リングと前記拡散カバー部材との間には結露防止用シール部材が介在されていることを特徴とする請求項１に記載の採光装置。
【請求項３】
前記採光手段は、取付部材と、前記取付部材に装着されるドーム部材とから構成されており、前記取付部材は、基台部と、前記基台部から上方に延びる筒状の支持部とから構成され、前記ドーム部材は前記支持部の開口部に装着され、前記ドーム部材の開口部と前記支持部の前記開口部との間には結露防止用テープ部材が介在され、前記結露防止用テープ部材は、外気の通過を許容し且つ虫又は塵埃の通過を阻止するように構成されていることを特徴とする請求項１又は２に記載の採光装置。
【請求項４】
前記結露防止用テープ部材の片面には、複数の毛状体が植設されていることを特徴とする請求項３に記載の採光装置。
【請求項５】
前記採光手段は、取付部材と、前記取付部材に装着されるドーム部材とから構成されており、前記取付部材は、基台部と、前記基台部から上方に延びる筒状の支持部とから構成され、前記ドーム部材は前記支持部の開口部に装着され、前記支持部には貫通孔が設けられていることを特徴とする請求項１又は２に記載の採光装置。
【請求項６】
前記支持部は、支持本体部と、前記支持本体部の開口部より径方向外方且つ下方に延びる先端テーパ部と、前記先端テーパ部より更に下方に延びる装着部とから構成されており、前記装着部には前記ドーム部材の開口部が装着され、また前記先端テーパ部には前記貫通孔が設けられていることを特徴とする請求項５に記載の採光装置。
【請求項７】
前記導光手段は、相互に接続される複数の筒状部材から構成され、前記複数の筒状部材の少なくとも一つには屈曲筒状部材が設けられ、前記屈曲筒状部材は０度〜９０度の角度範囲で屈曲自在であることを特徴とする請求項１〜６のいずれかに記載の採光装置。
【請求項８】
前記屈曲筒状部材は、相互に回動自在に接続された４つの筒状部を有し、相互に隣接する一対の筒状部のうち一方の筒状部は、その他方の筒状部に対して０度〜３０度の角度範囲で屈曲自在に構成されていることを特徴とする請求項７に記載の採光装置。
【請求項９】
前記屈曲筒状部材は、相互に接続された第１及び第２屈曲筒状部材から構成され、前記第１及び第２屈曲筒状部材の各々は、相互に回動自在に接続された一対の筒状部を有し、前記一対の筒状部のうち一方の筒状部は、その他方の筒状部に対して０度〜４５度の角度範囲で屈曲自在に構成されていることを特徴とする請求項７に記載の採光装置。
【請求項１０】
前記採光手段は建物の外壁に取り付けられ、前記導光手段の一端部は前記採光手段に連結され、その他端部は前記建物の外壁に設けられた開口を通して屋内に延びて前記照射手段に連結されることを特徴とする請求項１〜６のいずれかに記載の採光装置。
【請求項１１】
建物の内部を貫通して又は建物の外壁に沿って上下方向に延びる筒状支持体が設けられ、前記筒状支持体の上端部は、建物の屋根又は庇部から上方に延びており、
前記採光手段は前記筒状支持体の上端部に取り付けられ、前記導光手段の少なくとも一部は前記筒状支持体の内部に配設され、前記導光手段の一端部は前記筒状支持体の上端開口を通して前記採光手段に連結され、その他端部は前記照射手段に連結されることを特徴とする請求項１〜６のいずれかに記載の採光装置。
【発明の詳細な説明】
【技術分野】
【０００１】
本発明は、太陽光を屋内へ導入して屋内を照明するための採光装置に関する。
【背景技術】
【０００２】
近年、太陽光を屋内へ導入して屋内を照明するための採光装置が知られており、この採光装置は、建物の屋根に設けられて太陽光を導入する採光手段と、この採光手段からの光をその内面で反射させながら所定方向へ導く筒状の導光手段と、屋内の天井に設けられて導光手段からの光を屋内に照射する照射手段と、を備えている（例えば、特許文献１参照）。
【０００３】
採光手段はドーム部材及び取付部材を備えており、取付部材は、屋根に取り付けられる基台部と、基台部から上方に延びる筒状の支持部とから構成され、ドーム部材は支持部の開口部に装着される。また、照射手段は拡散カバー部材から構成され、固定用リングを介して屋内の天井に取り付けられる。導光手段は、相互に接続される複数の筒状部材から構成され、導光手段の一端部は、屋根に設けられた開口を通して取付部材の支持部に連結され、その他端部は、天井に設けられた開口を通して照射手段に連結される。
【０００４】
【特許文献１】特開平１１−３０６８１９号公報
【発明の開示】
【発明が解決しようとする課題】
【０００５】
しかしながら、上述のような従来の採光装置では、次のような問題がある。例えば冬季などのように外気温が比較的低いときには、例えば建物の屋根裏等に配設された導光手段の表面温度が露点温度よりも低下し、かかる場合において、室内の水蒸気を含んだ暖かい空気が拡散カバー部材と固定用リングとの間の隙間から拡散カバー部材の内部に侵入し、更にこの空気が導光手段の内部を流れて導光手段の内面に触れると、導光手段の内面において結露が発生する。また、ドーム部材の内部への雨水の侵入を防止するため、ドーム部材の内部は屋外と密封されており、このため外気温とドーム部材の内部温度との温度差が比較的大きくなり、ドーム部材の内部温度は外気温よりも高くなる。かかる場合において、ドーム部材が外気により冷やされてその表面温度が露点温度よりも低下し、ドーム部材の内部の水蒸気を含んだ暖かい空気がドーム部材の内面に触れると、ドーム部材の内面において結露が発生する。このように結露が発生すると、導光手段の内面やドーム部材の内面などに結露水が付着し、この結露水により例えば屋根の木材などにカビや腐食などが発生するという問題がある。
【００１３】
本発明の目的は、採光手段の内部や導光手段の内部において結露の発生を防止することができる採光装置を提供することである。
【課題を解決するための手段】
【００１９】
本発明の請求項１に記載の採光装置では、屋外に設けられて太陽光を導入する採光手段と、前記採光手段からの光をその内面で反射させながら所定方向に導く筒状の導光手段と、屋内に設けられて前記導光手段からの光を屋内に照射する照射手段と、を備えた採光装置において、
前記導光手段の一端部は前記採光手段に連結され、その他端部は前記照射手段に連結されており、前記採光手段は屋外と連通され、また前記照射手段は屋内と密封されていることを特徴とする。
【００２０】
また、本発明の請求項２に記載の採光装置では、前記照射手段は拡散カバー部材から構成され、前記拡散カバー部材は、固定用リングを介して屋内の天井に取り付けられており、前記固定用リングと前記拡散カバー部材との間には結露防止用シール部材が介在されていることを特徴とする。
さらに、本発明の請求項３に記載の採光装置では、前記採光手段は、取付部材と、前記取付部材に装着されるドーム部材とから構成されており、前記取付部材は、基台部と、前記基台部から上方に延びる筒状の支持部とから構成され、前記ドーム部材は前記支持部の開口部に装着され、前記ドーム部材の開口部と前記支持部の前記開口部との間には結露防止用テープ部材が介在され、前記結露防止用テープ部材は、外気の通過を許容し且つ虫又は塵埃の通過を阻止するように構成されていることを特徴とする。
また、本発明の請求項４に記載の採光装置では、前記結露防止用テープ部材の片面には、複数の毛状体が植設されていることを特徴とする。
【００２１】
また、本発明の請求項５に記載の採光装置では、前記採光手段は、取付部材と、前記取付部材に装着されるドーム部材とから構成されており、前記取付部材は、基台部と、前記基台部から上方に延びる筒状の支持部とから構成され、前記ドーム部材は前記支持部の開口部に装着され、前記支持部には貫通孔が設けられていることを特徴とする。
【００２２】
さらに、本発明の請求項６に記載の採光装置では、前記支持部は、支持本体部と、前記支持本体部の開口部より径方向外方且つ下方に延びる先端テーパ部と、前記先端テーパ部より更に下方に延びる装着部とから構成されており、前記装着部には前記ドーム部材の開口部が装着され、また前記先端テーパ部には前記貫通孔が設けられていることを特徴とする。
【００２３】
また、本発明の請求項７に記載の採光装置では、前記導光手段は、相互に接続される複数の筒状部材から構成され、前記複数の筒状部材の少なくとも一つには屈曲筒状部材が設けられ、前記屈曲筒状部材は０度〜９０度の角度範囲で屈曲自在であることを特徴とする。
【００２４】
さらに、本発明の請求項８に記載の採光装置では、前記屈曲筒状部材は、相互に回動自在に接続された４つの筒状部を有し、相互に隣接する一対の筒状部のうち一方の筒状部は、その他方の筒状部に対して０度〜３０度の角度範囲で屈曲自在に構成されていることを特徴とする。
【００２５】
また、本発明の請求項９に記載の採光装置では、前記屈曲筒状部材は、相互に接続された第１及び第２屈曲筒状部材から構成され、前記第１及び第２屈曲筒状部材の各々は、相互に回動自在に接続された一対の筒状部を有し、前記一対の筒状部のうち一方の筒状部は、その他方の筒状部に対して０度〜４５度の角度範囲で屈曲自在に構成されていることを特徴とする。
【００２６】
さらに、本発明の請求項１０に記載の採光装置では、前記採光手段は建物の外壁に取り付けられ、前記導光手段の一端部は前記採光手段に連結され、その他端部は前記建物の外壁に設けられた開口を通して屋内に延びて前記照射手段に連結されることを特徴とする。
【００２７】
また、本発明の請求項１１に記載の採光装置では、建物の内部を貫通して又は建物の外壁に沿って上下方向に延びる筒状支持体が設けられ、前記筒状支持体の上端部は、建物の屋根又は庇部から上方に延びており、
前記採光手段は前記筒状支持体の上端部に取り付けられ、前記導光手段の少なくとも一部は前記筒状支持体の内部に配設され、前記導光手段の一端部は前記筒状支持体の上端開口を通して前記採光手段に連結され、その他端部は前記照射手段に連結されることを特徴とする。
【発明の効果】
【００３７】
本発明の請求項１に記載の採光装置によれば、照射手段は屋内と密封されているので、例えば冬季などのように外気温が比較的低い場合において、室内の水蒸気を含んだ暖かい空気が導光手段の他端部よりその内部に侵入するのを防止することができ、これにより導光手段の内部における結露の発生を防止することができる。また、採光手段は屋外と連通されているので、外気が採光手段の内部に侵入することによって、採光手段の内部温度と外気温との温度差が小さくなり、これにより採光手段の内部における結露の発生を防止することができる。このように結露の発生が防止されることにより、結露水によるカビや腐食などの発生が防止され、良好な生活環境を保つことが可能となる。
【００３８】
また、本発明の請求項２に記載の採光装置によれば、固定用リングと拡散カバー部材との間には結露防止用シール部材が介在されているので、拡散カバー部材の内部が屋内と確実に密封され、室内の水蒸気を含んだ暖かい空気が、固定用リングと拡散カバー部材との間の隙間から導光手段の内部に侵入するのを確実に防止することができる。
【００３９】
さらに、本発明の請求項３に記載の採光装置によれば、ドーム部材の開口部と支持部の開口部との間には結露防止用テープ部材が介在され、この結露防止用テープ部材は、外気の通過を許容し且つ虫又は塵埃の通過を阻止するように構成されているので、外気がこの結露防止用テープ部材を通してドーム部材の内部に侵入し、これによりドーム部材の内部温度と外気温との温度差が小さくなり、ドーム部材の内部における結露の発生を確実に防止することができる。また、虫又は塵埃はこの結露防止用テープ部材を通過することができないため、外部からの虫又は塵埃がドーム部材の内部へ侵入するのを防止することができる。
また、本発明の請求項４に記載の採光装置によれば、結露防止用テープ部材の片面には複数の毛状体が植設されているので、外気がこの複数の毛状体の隙間を通してドーム部材の内部に侵入し、これによりドーム部材の内部温度と外気温との温度差が小さくなり、ドーム部材の内部における結露の発生を確実に防止することができる。また、虫又は塵埃はこの複数の毛状体の隙間を通過することができないため、外部からの虫又は塵埃がドーム部材の内部へ侵入するのを防止することができる。
【００４０】
また、本発明の請求項５に記載の採光装置によれば、ドーム部材は支持部の開口部に装着され、支持部には貫通孔が設けられているので、外気がこの貫通孔を通してドーム部材の内部に侵入するようになり、これによりドーム部材の内部温度と外気温との温度差を小さくすることができ、ドーム部材の内部における結露の発生を確実に防止することができる。
【００４１】
さらに、本発明の請求項６に記載の採光装置によれば、支持本体部の開口部には、径方向外方且つ下方に傾斜して延びる先端テーパ部が設けられているので、支持本体部に対して横方向から吹き付ける雨水はこの先端テーパ部によって跳ね返され、これにより雨水が先端テーパ部に設けられた貫通孔を通してドーム部材の内部に侵入することがない。
【００４２】
また、本発明の請求項７に記載の採光装置によれば、導光手段は、０度〜９０度の角度範囲で屈曲自在な屈曲筒状部材を有しているので、予め各種の角度に屈曲させた筒状部材を用意する必要がなく、採光装置の製造コストを低減させることが可能となる。また、採光手段と照射手段との相対的な位置関係や屋根裏等の空間の大きさなどに左右されることなく、導光手段を屈曲させながら配設する際の自由度を高めることができ、各種の建物に対して広く適用可能な採光装置を提供することができる。
【００４３】
さらに、本発明の請求項８に記載の採光装置によれば、屈曲筒状部材は、相互に回動自在に接続された４つの筒状部を有し、相互に隣接する一対の筒状部のうち一方の筒状部は、その他方の筒状部に対して０度〜３０度の角度範囲で屈曲自在に構成されているので、屈曲筒状部材を０度〜９０度の角度範囲で容易に調節することが可能となる。
【００４４】
また、本発明の請求項９に記載の採光装置によれば、屈曲筒状部材は、相互に接続された第１及び第２屈曲筒状部材から構成され、第１及び第２屈曲筒状部材の各々は、相互に回動自在に接続された一対の筒状部を有し、一対の筒状部のうち一方の筒状部は、その他方の筒状部に対して０度〜４５度の角度範囲で屈曲自在に構成されているので、屈曲筒状部材を０度〜９０度の角度範囲で容易に調節することが可能となる。
【００４５】
また、本発明の請求項１０に記載の採光装置によれば、採光手段は建物の外壁に取り付けられるので、採光手段より延びる導光手段の一部は、例えば屋外や階床下空間などに配設されるようになり、これにより導光手段の配設作業を容易に行うことが可能となる。
【００４６】
さらに、本発明の請求項１１に記載の採光装置によれば、建物の内部を貫通して又は建物の外壁に沿って上下方向に延びる筒状支持体が設けられ、採光手段は、屋根又は庇部から上方に延びる筒状支持体の上端部に取り付けられるので、屋根又は庇部から延びる筒状支持体の長さを、採光装置が設置される地域の積雪量に応じた長さに設定することにより、採光手段が屋根に降り積もった雪の中に埋もれてしまうことがなく、太陽光を採光手段により確実に導入することが可能となる。
【発明を実施するための最良の形態】
【００５６】
以下、添付図面を参照して、本発明に従う採光装置の各種実施形態について説明する。
第１の実施形態
まず、図１を参照して、第１の実施形態の採光装置について説明する。図１は、本発明の第１の実施形態による採光装置を示す概略断面図である。
【００５７】
図１において、図示の採光装置２は、建物４（家屋）の屋根６に設けられて太陽光を導入する採光手段８と、採光手段８からの光をその内面で反射させながら所定方向に導く導光手段１０と、屋内の天井１２に設けられて導光手段１０からの光を屋内に照射する照射手段１４と、を備えている。以下、これら各構成要素について詳細に説明する。
【００５８】
採光手段８は、取付部材１６と、この取付部材１６に取り付けられるドーム部材１８とから構成される。取付部材１６は、例えばガルバニウム、アルミニウム又は銅などの金属や繊維強化プラスチック（ＦＲＰ）などから形成され、屋根６の野地板２０に取り付けられる基台部２２と、基台部２２から上方に延びる円筒状の支持部２４と、から構成されている。支持部２４の開口部には、径方向内方に延びるリング状の係止部２６が設けられ、また支持部２４の開口部の外周面には、その全周に渡って長尺状の結露防止用テープ部材２８が取り付けられており、この結露防止用テープ部材２８の片面には複数の毛状体３０が密に植設されている。
【００５９】
ドーム部材１８は、例えば透明なアクリルやポリカーボネートなどの合成樹脂などから形成され、略半球面状に構成されている。ドーム部材１８の開口部の外径は、支持部２４の開口部の外径よりも幾分大きく構成されている。ドーム部材１８の内面には、弓状に湾曲した集光反射板３２が例えば接着剤や両面テープなど（図示せず）を用いて取り付けられており、集光反射板３２の凹面側は、太陽光を採光するための反射面として機能する。この反射面は、例えばアルミニウムフィルムなどの反射材（図示せず）を貼着する、あるいはアルミニウムを蒸着するなどして構成されている。
【００６０】
このドーム部材１８を取付部材１６に取り付ける際には、ドーム部材１８の開口部を支持部２４の開口部の外周面に被せ、取付ネジ３３を用いてドーム部材１８を支持部２４の開口部に装着する。かく装着すると、ドーム部材１８の開口部と支持部２４の開口部との間に形成される隙間には結露防止用テープ部材２８が介在され、この結露防止用テープ部材２８の複数の毛状体３０の隙間（すなわち、毛状体３０と毛状態３０との間の隙間）を介してドーム部材１８の内部と屋外とが連通されるようになる。
【００６１】
上述のようにして構成した採光手段８は、例えば次のようにして屋根６に取り付けられる。屋根６の野地板２０の所定領域に敷設された瓦３４を複数枚取り除いて野地板２０を露出させ、この露出された野地板２０に円形状の開口３６を設ける。そして、支持部２４の開口部がこの野地板２０の開口３６に対応して配設されるようにして野地板２０上に基台部２２を載置し、例えば釘（図示せず）などを用いて基台部２２を野地板２０に取り付ける。なお、このように取り付けた状態において、集光反射板３２の凹面側の幅方向中央部が南方向を向くようにすることが好ましく、これにより特に日の出や日の入りなどのように太陽高度の低いときにおいて、太陽光を集光反射板３２の凹面側で受光して採光することができる。
【００６２】
照射手段１４は例えば半球面状の拡散カバー部材３８から構成され、この拡散カバー部材３８は、例えば半透明のアクリルやプラスチックなどの合成樹脂などから形成される。拡散カバー部材３８の開口部には、径方向内方に延びる円弧状の複数の係止突条４０が設けられている。この拡散カバー部材３８は、後述するようにして固定用リング４２を介して屋内の天井１２に取り付けられ、この固定用リング４２は、取付リング部材４４及び装飾リング部材４６を備えている。取付リング部材４４は、リング本体部４８と、リング本体部４８の内周部より上方に延びる筒状部５０と、リング本体部４８の内周部より径方向内方に延びるリング状の係止部５２と、を有している。リング本体部４８の外周部には、拡散カバー部材３８の複数の係止突条４０に対応して複数の係止凹部５４が設けられている。装飾リング部材４６は、リング状の取付本体部５６と、取付本体部５６の外周部に設けたリング状の装飾部５８と、を有している。取付本体部５６の下面には、その全周に渡ってリング状の結露防止用シール部材６０が取り付けられており、この結露防止用シール部材６０は、例えばパッキンなどから形成されている。
【００６３】
照射手段１４としての拡散カバー部材３８は、次のようにして屋内の天井１２に取り付けられる。まず、屋内の天井１２に円形状の天井開口６２を設け、この天井開口６２の周囲に装飾リング部材４６の取付本体部５６を配設する。装飾リング部材４６の取付本体部５６の内周部に結露防止用シール部材６０を介して取付リング部材４４のリング本体部４８を取り付け、取付ネジ６４を用いて取付リング部材４４及び装飾リング部材４６をそれぞれ屋内の天井１２に取り付ける。かく取り付けた取付リング部材４４の各係止凹部５４に拡散カバー部材３８の各係止突条４０をそれぞれ挿入し、拡散カバー部材３８を所定方向に回転させて各係止突条４０を各係止凹部５４に係止させることにより、拡散カバー部材３８は、固定用リング４２を介して屋内の天井１２に取り付けられる。かく取り付けられると、結露防止用シール部材６０が拡散カバー部材３８の開口部と装飾リング部材４６の取付本体部５６との間の隙間に介在され、この結露防止用シール部材６０が拡散カバー部材３８の開口部によって押圧されるようになり、これにより拡散カバー部材３８の内部が屋内と密封される。ここで、拡散カバー部材３８の内部は屋内と完全に密封されている必要はなく、上記隙間を通してのごく僅かな空気の出入りがあっても実用上差し支えない。なお、装飾リング部材４６の装飾部５８は拡散カバー部材３８の周囲に配設され、この装飾部５８によって拡散カバー部材３８の周囲が装飾される。
【００６４】
導光手段１０は、採光手段８の支持部２４に連結される上端筒状部材６６と、照射手段１４に連結される下端筒状部材６８と、上端筒状部材６６と下端筒状部材６８との間に接続される複数（本実施形態では２個）の中間筒状部材７０ａ，７０ｂとから構成されている。これら各筒状部材６６，６８，７０ａ，７０ｂの内面にはそれぞれ反射面が形成され、この反射面は、例えばアルミニウムフィルムなどの反射材（図示せず）を貼着する、あるいはアルミニウムの蒸着などにより構成されている。また、これら各筒状部材６６，６８，７０ａ，７０ｂはそれぞれ、その一端側の外径が他端側の外径よりも幾分小さいテーパ状に形成されている。上端筒状部材６６の一端部及び下端筒状部材６８の他端部にはそれぞれ、径方向外方に延びるリング状の被係止部７２，７４が設けられている。
【００６５】
この導光手段１０は、例えば屋根６と屋内の天井１２との間の空間７６（例えば、屋根裏や二階部など）に次のようにして配設される。上端筒状部材６６の一端部は、野地板２０に設けた開口３６を通して取付部材１６の支持部２４の内部に挿入され、上端筒状部材６６の被係止部７２を支持部２４の係止部２６にパッキン（図示せず）を介して係止させることにより、上端筒状部材６６が支持部２４の開口部に連結される。そして、中間筒状部材７０ａの一端部をこの上端筒状部材６６の他端部を通してその内部に所定長さだけ挿入し、上端筒状部材６６の他端部と中間筒状部材７０ａの一端部との継ぎ目に例えばアルミニウムテープ（図示せず）などを貼着して両者を相互に接続する。また、別の中間筒状部材７０ｂの一端部をこの上端筒状部材６６に接続された中間筒状部材７０ａの他端部を通してその内部に所定長さだけ挿入し、中間筒状部材７０ａの他端部と中間筒状部材７０ｂの一端部との継ぎ目に例えばアルミニウムテープ（図示せず）などを貼着して両者を相互に接続する。また、下端筒状部材６８の一端部をこの中間筒状部材７０ｂの他端部を通してその内部に所定長さだけ挿入し、中間筒状部材７０ｂの他端部と下端筒状部材６８の一端部との継ぎ目に例えばアルミニウムテープ（図示しない）などを貼着して両者を相互に接続する。そして、この下端筒状部材６８の被係止部７４を天井開口６２を通して取付リング部材４４の係止部５２に係止させ、更に下端筒状部材６８の被係止部７４と取付リング部材４４の筒状部５０との間に例えばゴムなどで形成される固定用チューブ部材７８を装着することにより、下端筒状部材６８が固定用リング４２を介して拡散カバー部材３８に連結される。
【００６６】
なお、本実施形態では、中間筒状部材７０ａ，７０ｂを２個用いる場合について説明したが、採光手段８と照射手段１４との間の距離などに応じて、中間筒状部材の数を適宜設定すればよい。このように中間筒状部材の数を適宜設定することにより、導光手段１０の長さを調節することができる。
【００６７】
上述のようにして構成した採光装置２による屋内の照明は、次のようにして行われる。採光手段８のドーム部材１８を通して導入された太陽光は、日の出や日の入りなど太陽高度の低いときにはドーム部材１８内に取り付けられた集光反射板３２の凹面側で反射されて導光手段１０の内部へと導かれ、また日中など太陽高度の高いときには支持部２４の開口部より導光手段１０の内部へと導かれる。このように導かれた光は、上端筒状部材６６、複数の中間筒状部材７０ａ，７０ｂ及び下端筒状部材６８の内面をそれぞれ乱反射しながら所定方向（照射手段１４が配設された方向）へと導かれ、更に下端筒状部材６８の他端部から出射されて拡散カバー部材３８を通して室内に拡散照射され、このようにして太陽光を利用して室内が照明される。
【００６８】
この第１の実施形態の採光装置２では、ドーム部材１８の内部及び導光手段１０の内部における結露の発生が次のようにして防止される。冬季などのように外気温が比較的低いときには、例えば建物４の屋根裏７６等に配設された導光手段１０が外気により冷やされてその表面温度が露点温度よりも低下する。上述のように固定用リング４２と拡散カバー部材３８との間の隙間には結露防止用シール部材６０が介在されているので、室内の水蒸気を含んだ暖かい空気がこの隙間を通して導光手段１０の内部に侵入するのが遮断され、これによりこの空気が導光手段１０の内面に触れることがなく、導光手段１０の内部における結露の発生が防止される。また、ドーム部材１８の開口部と支持部２４の開口部との間には結露防止用テープ部材２８が介在されているので、外気がこの結露防止用テープ部材２８の複数の毛状体３０の隙間を通してドーム部材１８の内部に侵入することにより、ドーム部材１８の内部温度と外気温との温度差が小さくなり、ドーム部材１８の内部において結露の発生が防止される。以上のように結露の発生が防止されるので、結露水がドーム部材１８の内面や導光手段１０の内面など付着することがなく、この結露水によるカビや腐食などの発生を防止することが可能となる。また、虫や塵埃などは複数の毛状体３０の隙間を通過することができないため、外部からの虫や塵埃などが、ドーム部材１８の開口部と支持部２４の開口部との間の隙間を通してドーム部材１８の内部へ侵入するのを防止することができる。
【００６９】
なお、第１の実施形態では、ドーム部材１８の開口部と支持部２４の開口部との間に結露防止用テープ部材２８を介在させることにより、ドーム部材１８の内部における結露の発生を防止するように構成したが、このような構成に代えて、例えば図２のように構成してもよい。図２に示す採光装置２Ａでは、採光手段８Ａの支持部２４Ａは、支持本体部７９と、支持本体部７９の開口部より径方向外方且つ上方に延びるリング状の係止部２６Ａと、この係止部２６Ａより径方向外方且つ下方に延びるリング状の先端テーパ部８０と、この先端テーパ部８０より更に径方向外方且つ下方に延びるリング状の装着部８２と、が設けられている。係止部２６Ａには上端筒状部材６６の被係止部７２が係止され、また装着部８２には取付ネジ３３によりドーム部材１８の開口部が装着される。先端テーパ部８０には複数の貫通孔８４が設けられており、外気がこの複数の貫通孔８４を通してドーム部材１８の内部に侵入することにより、ドーム部材１８の内部温度と外気温との温度差を小さくすることができ、上述したのと同様の作用効果が達成される。また、先端テーパ部８０は径方向外方且つ下方に傾斜されているので、支持本体部７９に横方向から吹き付けた雨水がこの先端テーパ部８０により跳ね返されるようになり、雨水が複数の貫通孔８４を通してドーム部材１８の内部に侵入するのが防止される。なお、複数の貫通孔８４の外径は、虫や塵埃などがこの貫通孔８４を通過できないように比較的小さく（例えば、直径０．５ｍｍ〜１ｍｍ程度）構成することが好ましく、また、貫通孔８４は一つのみ設けるようにしてもよい。
【００７０】
この第１の実施形態及び変形形態の採光装置２，２Ａの結露防止に関する構成、すなわち、固定用リング４２と拡散カバー部材３８との間の隙間に結露防止用シール部材６０を介在させる構成、ドーム部材１８の開口部と支持部２４の開口部との間に結露防止用テープ部材２８を介在させる構成、及び支持本体部７９の開口部に複数の貫通孔８４を有する先端テーパ部８０を設ける構成は、以下に示す各実施形態の採光装置に対しても適用することが可能である。
【００７１】
また、本実施形態では、固定用リング４２を取付リング部材４４及び装飾リング部材４６から構成したが、これに限られず、例えば次のようにして構成してもよい。すなわち、図示しないが、固定用リングは、天井１２に取り付けられるリング本体部と、このリング本体部の外周部に取り付けられた複数の取付金具とを有し、このリング本体部には結露防止用シール部材６０を介して拡散カバー部材３８が取り付けられる。取付金具は、拡散カバー部材３８の外周部に係止されるロック位置と、拡散カバー部材３８の外周部から離脱される解除位置との間を揺動自在に構成され、ばね部材により解除位置からロック位置に向かって弾性的に偏倚されている。したがって、複数の取付金具をそれぞれロック位置に保持すると、結露防止用シール部材６０が拡散カバー部材３８の開口部によって押圧され、これにより拡散カバー部材３８の内部が室内と密封され、上述したのと同様の作用効果が達成される。
【００７２】
第２の実施形態
次に、図３〜図６を参照して、第２の実施形態の採光装置について説明する。図３は、本発明の第２の実施形態による採光装置の概略斜視図であり、図４は、図３の採光装置の概略断面図であり、図５は、図３の採光装置における屈曲筒状部材を屈曲させない状態で示す概略断面図であり、図６は、図５の屈曲筒状部材を９０度の角度に屈曲させた状態で示す図である。なお、以下の実施形態において、上記第１の実施形態と実質上同一の構成要素には同一の符号を付し、その説明を省略する。
【００７３】
図３〜図６において、この第２の実施形態の採光装置２Ｂでは、採光手段８Ｂの取付部材１６Ｂは、建物４の外壁８６に取り付けられる基台部２２Ｂと、基台部２２Ｂから上方に延びる支持部２４とから構成されている。基台部２２Ｂはプレート状に構成され、基台部２２Ｂの一端部には上下方向に延びる取付プレート部８８が設けられ、またその他端部及び両側部にはそれぞれ下方に延びる側カバー部９０が設けられている。取付プレート部８８の上側部及び下側部にはそれぞれ複数の貫通孔（図示せず）が設けられており、取付ネジ９２をこの貫通孔を通して外壁８６に螺着することにより、取付プレート部８８が外壁８６に取り付けられる。かく取り付けられると、基台部２２Ｂは実質上水平方向に延び、ドーム部材１８は鉛直方向上方を向くようになる。また、取付プレート部８８の上方には防水用カバー部材９４が設けられており、この防水用カバー部材９４の上側部には複数の貫通孔（図示せず）が設けられ、その下側部は、防水用カバー部材９４の片面側に階段状に折り曲げられた後に下方（図４において下方向）に延びている。この防水用カバー部材９４の下側部における左右端部にはそれぞれ閉塞部９５が設けられている。取付ネジ９６を防水用カバー部材９４の貫通孔を通して外壁８６に螺着することにより、防水用カバー部材９４の上側部が外壁８６に取り付けられる。かく取り付けられると、防水用カバー部材９４の下側部が取付プレート部８８の上端部を覆うようになり、また防水用カバー部材９４の閉塞部９５が取付プレート部８８の上端側部を覆うようになり、これにより雨水が取付プレート部８８と外壁８６との間の隙間に侵入するのを防止することができる。なお、取付プレート部８８の上端部と外壁８６との間の隙間、及び防水用カバー部材９４の上端部と外壁８６との間の隙間にはそれぞれ例えば変成シリコン等によるコーキング（図示せず）を施すのが好ましく、これにより雨水の上記隙間への侵入をより確実に防止することができる。
【００７４】
導光手段１０Ｂは、採光手段８Ｂの支持部２４に連結される上端筒状部材６６と、照射手段１４に連結される下端筒状部材６８と、上端筒状部材６６と下端筒状部材６８との間に接続される複数（本実施形態では４個）の中間筒状部材７０ａ〜７０ｄ及び複数（本実施形態では２個）の屈曲筒状部材９８（９８ａ，９８ｂ）とから構成されている。屈曲筒状部材９８は、相互に回動自在に接続された４つの筒状部１００を有し、相互に隣接する一対の筒状部１００の開口端（相互に接続される開口端）は、軸線Ｃに対して６０度の角度で傾斜しており、また両側に配設される筒状部１００の開口端（相互に接続されない開口端）はそれぞれ、軸線Ｃに対して実質上垂直に構成されている（図５参照）。また、相互に隣接する一対の筒状部１００の一方の筒状部１００の開口端（相互に接続される開口端）には、径方向外方に幾分突出するリング状の嵌合用突部１０２が設けられ、その他方の筒状部１００の開口端（相互に接続される開口端）には、この嵌合用突部１０２に摺動自在に嵌合されるリング状の嵌合用凹部１０４が設けられている。これにより、相互に隣接する一対の筒状部１００のうち一方の筒状部１００をその他方の筒状部１００に対して相対的に図６中の矢印で示すように回動させることができ、かく回動させることにより、一方の筒状部１００は他方の筒状部１００に対して０度〜３０度の角度範囲で自在に屈曲され、従って、この屈曲筒状部材９８は全体として０度〜９０度の角度範囲で任意の角度に自在に屈曲される。なお、図４においては、嵌合用突部１０２及び嵌合用凹部１０４の図示を省略してある。
【００７５】
例えば、屈曲筒状部材９８が直線状に延びる状態（すなわち、屈曲角度が０度の状態）より、一端側の筒状部１００ａをこれに隣接する筒状部１００ｂに対して３０度の角度で屈曲させると、屈曲筒状部材９８は全体として３０度の角度で屈曲され、更に、この筒状部１００ｂをこれに隣接する筒状部１００ｃに対して３０度の角度で屈曲させると、屈曲筒状部材９８は全体として６０度の角度で屈曲され、また更に、この筒状部１００ｃをこれに隣接する他端側の筒状部１００ｄに対して３０度の角度で屈曲させると、屈曲筒状部材９８は全体として９０度の角度で屈曲される（図６参照）。なお、屈曲筒状部材９８の一端側の外径は、その他端側の外径よりも幾分小さく構成されている。
【００７６】
上記第１の実施形態と同様に、上端筒状部材６６の一端部は支持部２４の開口部に連結され、またその他端部には、相互に接続された複数（本実施形態では２個）の中間筒状部材７０ａ，７０ｂの一端部が接続され、これら上端筒状部材６６及び複数の中間筒状部材７０ａ，７０ｂは実質上鉛直方向（図４において上下方向）に延びて外壁８６に沿って配設される。複数の中間筒状部材７０ａ，７０ｂの他端部には、９０度の角度で屈曲された屈曲筒状部材９８ａの一端部が接続され、またこの屈曲筒状部材９８ａの他端部には、相互に接続された複数（本実施形態では２個）の中間筒状部材７０ｃ，７０ｄの一端部が接続され、この複数の中間筒状部材７０ｃ，７０ｄは、外壁８６に設けられた円形状の開口１０６を通して屋内に実質上水平方向（図４において左右方向）に延び、例えば二階部や屋根裏等の空間７６に配設される。また、複数の中間筒状部材７０ｃ，７０ｄの他端部には、９０度の角度で屈曲された屈曲筒状部材９８ｂの一端部が接続され、またこの屈曲筒状部材９８ｂの他端部には、照射手段１４に連結された下端筒状部材６８の一端部が接続される。なお、照射手段１４は、上記第１の実施形態と同様に屋内の天井１２に取り付けられている。
【００７７】
また、この導光手段１０Ｂに関連して、複数（本実施形態では２個）の第１保護カバー部材１０８及び第２保護カバー部材１１０が設けられている。第１保護カバー部材１０８は、前面カバー部１１２と、前面カバー部１１２の両端部より対向して延びる一対の側面カバー部１１４と、を有し、その上端及び下端はそれぞれ開口されている。一対の側面カバー部１１４の各一端部にはそれぞれ外方に延びるプレート状の取付部１１６が設けられており、この取付部１１６には複数の貫通孔（図示せず）が設けられている。第２保護カバー部材１１０は、底面カバー部１１８と、底面カバー部１１８の他端部より上方に延びる前面カバー部１２０と、底面カバー部１１８の両側部より対向して上方に延びる一対の側面カバー部１２２と、を有し、その上端は開口されている。底面カバー部１１８及び一対の側面カバー部１２２の各一端部にはそれぞれ外方に延びるプレート状の取付部１２４が設けられており、この取付部１２４には複数の貫通孔（図示せず）が設けられている。
【００７８】
これら第１保護カバー部材１０８及び第２保護カバー部材１１０は、次のようにして建物４の外壁８６に取り付けられる。第１保護カバー部材１０８の上端部を基台部２２Ｂの側カバー部９０の下端部よりその内部へ所定長さ挿入した状態で、取付ネジ１２６を取付部１１６の貫通孔を通して外壁８６に螺着することにより、第１保護カバー部材１０８が外壁８６に取り付けられる。この第１保護カバー部材１０８の下端部内に、別の第１保護カバー部材１０８の上端部を所定長さ挿入し、更にこの第１保護カバー部材１０８の下端部内に第２保護カバー部材１１０の上端部を所定長さ挿入し、上述と同様に取付ネジ１２６を用いることによりこれら第１保護カバー部材１０８及び第２保護カバー部材１１０がそれぞれ外壁８６に取り付けられる。したがって、導光手段１０Ｂのうち建物４の外壁８６に沿って配設される部分（すなわち、上側筒状部材６６、複数の中間筒状部材７０ａ，７０ｂ及び屈曲筒状部材９８ａ）は、第１保護カバー部材１０８及び第２保護カバー部材１１０によって覆われるようになり、これにより導光手段１０Ｂを例えば雨水や塵埃などから保護することができる。
【００７９】
この第２の実施形態による採光装置２Ｂでは、採光手段８Ｂは建物４の外壁８６に取り付けられるので、この採光手段８Ｂより延びる導光手段１０Ｂの一部は屋外に配設されるようになり、導光手段１０Ｂの配設作業の一部を屋外において行うことができ、これにより導光手段１０Ｂの配設作業を容易に行うことが可能となる。なお、採光手段８Ｂは、例えば建物４のベランダ部（図示せず）における外壁８６など、建物４の外壁８６の適宜の部位に取り付けることができる。また、導光手段１０Ｂには、０度〜９０度の角度範囲で屈曲自在な屈曲筒状部材９８が設けられているので、導光手段１０Ｂを屈曲させながら配設する際の自由度を高めることが可能となる。なお、第２の実施形態においては、屈曲筒状部材９８を９０度の角度に屈曲させた状態で使用したが、これに限られず、例えば５０度、６５度又は８０度など適宜の角度に屈曲させて使用することができる。
【００８０】
なお、第２の実施形態では、屈曲筒状部材９８は、相互に回動自在に接続された４つの筒状部１００を有するように構成したが、このような構成に代えて、例えば図７及び図８のように構成してもよい。図７及び図８において、図示の屈曲筒状部材１２８は、相互に接続された第１及び第２屈曲筒状部材１３０，１３２から構成され、これら第１及び第２屈曲筒状部材１３０，１３２は、その継ぎ目に例えばアルミニウムテープ（図示せず）などを貼着することにより相互に接続されている。第１（第２）屈曲筒状部材１３０（１３２）の各々は、相互に回動自在に接続された一対の筒状部１３４（１３６）を有し、一方の筒状部１３４（１３６）はその他方の筒状部１３４（１３６）に対して０度〜４５度の角度範囲で屈曲自在に構成されている。第１（第２）屈曲筒状部材１３０（１３２）の一対の筒状部１３４（１３６）の一方の開口端（相互に接続される開口端）は、軸線Ｃに対して４５度の角度で傾斜しており、またその他方の開口端は、軸線Ｃに対して実質上垂直に構成されている。第１（第２）屈曲筒状部材１３０（１３２）の一方の筒状部１３４（１３６）をその他方の筒状部１３４（１３６）に対して相対的に図７中の矢印で示すように回動させることにより、一方の筒状部１３４（１３６）は他方の筒状部１３４（１３６）に対して０度〜４５度の角度範囲で自在に屈曲され、従って、この屈曲筒状部材１２８は全体として０度〜９０度の角度範囲で任意の角度に自在に屈曲される。
【００８１】
第３の実施形態
次に、図９を参照して、第３の実施形態の採光装置について説明する。図９は、本発明の第３の実施形態による採光装置を示す概略断面図である。
【００８２】
図９において、この第３の実施形態の採光装置２Ｃでは、上記第２の実施形態と同様に、採光手段８Ｃは建物４の外壁８６に取り付けられ、かく取り付けられた状態において、その基台部２２Ｃは、その一端部から他端部に向かって下方に傾斜して延び、またドーム部材１８は、鉛直方向に対して例えば４５度の角度で傾斜した方向を向いている。基台部２２Ｃの側カバー部９０Ｃの下端部内には、上述の第２保護カバー部材１１０の上端部が所定長さ挿入され、取付ネジ１２６を用いることにより第２保護カバー部材１１０が建物４の外壁８６に取り付けられる。
【００８３】
導光手段１０Ｃは、上述した屈曲筒状部材１２８を２分割して得られる第１屈曲筒状部材１３０Ｃ（又は第２屈曲筒状部材１３２Ｃ）から構成され、この第１屈曲筒状部材１３２Ｃの両端部にはそれぞれ径方向外方に延びるリング状の被係止部１３８が設けられている。この第１屈曲筒状部材１３２Ｃは例えば４５度に屈曲され、第１屈曲筒状部材１３２Ｃの一端部は支持部２４の開口部に連結され、その他端部は、建物４の外壁８６に設けられた円形状の開口１０６を通して屋内に実質上水平方向（図９において左右方向）に延び、建物４の内壁１４０に取り付けられた照射手段１４Ｃに連結されている。この照射手段１４Ｃは、上記第１の実施形態と同様にして、固定用リング４２を介して建物４の内壁１４０に取り付けられている。なお、導光手段１０Ｃのうち屋外に配設される部分は、第２保護カバー部材１１０によって覆われ、また、上記第２の実施形態と同様に、取付プレート部８８の上端部は防水用カバー部材９４の下側部により覆われている。
【００８４】
この第３の実施形態では、ドーム部材１８は鉛直方向に対して約４５度の角度で傾斜して取り付けられているので、例えば外壁８６に対して約４５度の角度から太陽光が照射される場合などにおいて、太陽光を採光手段８Ｃにより効率的に導入することができる。
【００８５】
なお、本実施形態では、照射手段１４Ｃを屋内の内壁１４０に取り付けたが、上記第１及び第２の実施形態と同様に、屋内の天井１２に取り付けるようにしてもよく、かかる場合には、第１屈曲筒状部材１３０Ｃの他端部には、中間筒状部材７０及び屈曲筒状部材９８，１２８などを適宜接続すればよい。また、本実施形態では、導光手段１０Ｃを屈曲筒状部材１３０Ｃから構成したが、上述した屈曲筒状部材９８から構成してもよい。
【００８６】
第４の実施形態
次に、図１０を参照して、第４の実施形態の採光装置について説明する。図１０は、本発明の第４の実施形態による採光装置の概略断面図である。
【００８７】
図１０において、この第４の実施形態の採光装置２Ｄでは、採光手段８Ｄの取付部材１６Ｄは、プレート状に構成された基台部２２Ｄと、この基台部２２Ｄから延びる円筒状の支持部２４を有しており、この基台部２２Ｄの上側部及び下側部にはそれぞれ複数の貫通孔（図示せず）が設けられている。なお、支持部２４の上側面には、円弧状に湾曲した防水用カバー部材１４１が取り付けられており、この防水用カバー部材１４１によって、ドーム部材１８の開口部と支持部２４の開口部との間の隙間が上方より覆われ、雨水がこの隙間からドーム部材１８の内部に侵入するのが防止される。この基台部２２Ｄの裏面側を建物４の外壁８６に当接させた状態で、取付ネジ９２を基台部２２Ｄの貫通孔を通して外壁８６に螺着することにより、基台部２２Ｄが外壁８６に取り付けられる。かく取り付けられると、ドーム部材１８は実質上水平方向を向くようになる。なお、上記第２及び第３の実施形態と同様に、基台部２２Ｄの上端部は防水用カバー部材９４の下側部により覆われ、また基台部２２Ｄの上端部と外壁８６との間にはコーキング（図示せず）が施されている。
【００８８】
導光手段１０Ｄは１個の中間筒状部材７０から構成され、この中間筒状部材７０の両端部にはそれぞれ径方向外方に延びるリング状の被係止部１４２が設けられている。この中間筒状部材７０Ｄの一端部は取付部材１６Ｄの支持部２４に連結され、その他端部は、外壁８６に設けられた円形状の開口１０６を通して屋内に実質上水平方向に延び、屋内の内壁１４０に取り付けられた照射手段１４Ｃに連結されている。
【００８９】
この第４の実施形態の採光装置２Ｄでは、上述のように採光手段８Ｄの取付部材１６Ｄが外壁８６に対して直に取り付けられているので、屋外における採光手段８Ｄの占有空間の大きさが比較的小さくなり、例えば建物４とこれに隣接する建物（図示せず）との離間距離が比較的小さい場合などであっても、採光手段８Ｄを建物４の外壁８６に取り付けて配設することができる。
【００９０】
第５の実施形態
次に、図１１を参照して、第５の実施形態の採光装置について説明する。図１１は、本発明の第５の実施形態による採光装置を示す概略断面図である。
【００９１】
図１１において、この第５の実施形態の採光装置２Ｅでは、採光手段８Ｅの取付部材１６は、建物４の屋根６の庇部１４４（軒先）に取り付けられる基台部２２と、この基台部２２より上方に延びる支持部２４とから構成されている。この取付部材１６の庇部１４４への取付方法について説明すると、次の通りである。庇部１４４の野地板２０Ｅの所定領域に敷設された瓦３４を複数枚取り除いて野地板２０Ｅを露出させ、この露出された野地板２０Ｅに円形状の開口３６Ｅを設ける。そして、支持部２４の開口部がこの野地板２０Ｅの開口３６Ｅに対応して配設されるようにして野地板２０Ｅ上に基台部２２を載置し、例えば釘（図示せず）などを用いて基台部２２を野地板２０Ｅに取り付ける。導光手段１０Ｅは、採光手段８Ｅから野地板２０Ｅの開口３６Ｅを通して建物４の外壁８６に沿って鉛直方向下方に延びた後に、外壁８６に設けられた円形状の開口１０６を通して屋内に延びて配設されている。また、外壁８６には第１及び第２保護カバー部材１０８，１１０が取り付けられ、導光手段１０Ｅはこれら第１及び第２保護カバー部材１０８，１１０によって覆われている。この採光装置２Ｅの他の構成は、上記第２の実施形態と実質上同一である。
【００９２】
この第５の実施形態の採光装置２Ｅでは、例えば建物４の外壁８６が他の建物など（図示せず）の陰になっている場合などにおいて、採光手段８Ｅを屋根６の庇部１４４に取り付けることにより、採光手段８Ｅをより高所に設置して太陽光をドーム部材１８より確実に導入することができる。
【００９３】
第６の実施形態
次に、図１２を参照して、第６の実施形態の採光装置について説明する。図１２は、本発明の第６の実施形態による採光装置を示す概略断面図である。
【００９４】
図１２において、この第６の実施形態の採光装置２Ｆでは、建物４の内部に貫通して上下方向に延びる筒状支持体１４６が配設されており、この筒状支持体１４６は建物４の母屋１４８の主要な柱（図示せず）などに連結固定されており、筒状支持体１４６の上端部は屋根６に設けられた開口３６Ｆを通して上方に延び、またその下端部は二階床１５０（又は一階天井１５４）に固定されている。
【００９５】
採光手段８Ｆの取付部材１６Ｆは、プレート状の基台部２２Ｆと、この基台部２２Ｆから上方に延びる支持部２４とから構成され、基台部２２Ｆの外周部には下方に延びる筒状の側カバー部９０Ｆが設けられている。基台部２２Ｆの側カバー部９０Ｆが筒状支持体１４６の上端部の外周部を覆うようにして、採光手段８Ｆの取付部材１６Ｆが筒状支持体１４６の上端部に取り付けられる。導光手段１０Ｆは筒状支持体１４６の内部に上下方向に延びて配設されており、導光手段１０Ｆの一端部は、筒状支持体１４６の上端開口を通して上方に延びて支持部２４に連結され、その他端部は、筒状支持体１４６の下端開口を通して下方に延びて一階天井１５４に設けられた照射手段１４に連結されている。
【００９６】
屋根６から延びる筒状支持体１４６の上端部の長さＬは、この採光装置２Ｆが設置される地域の積雪量Ｄに応じた長さに設定するのが好ましく、例えば、積雪量が０．８ｍの地域では、筒状支持体１４６の上端部の長さＬは、この積雪量０．８ｍよりも長い１．０ｍ〜１．２ｍ程度に設定するのが好ましい。このように筒状支持体１４６の上端部の長さＬを設定することにより、例えば雪が屋根６に降り積もった際に、ドーム部材１８をこの雪よりも上方に位置させることができ、従って、ドーム部材１８がこの雪の中に埋もれてしまうことがなく、太陽光を採光手段８Ｆにより確実に導入することが可能となる。また、筒状支持体１４６は、屋根６の頂部１５２に近い箇所に設置するのが好ましく、かく設置することにより、屋根６に降り積もった雪の重量により筒状支持体１４６の上端部に作用する力（負荷）を軽減することができ、筒状支持体１４６の倒壊などを防止することができる。
【００９７】
なお、この第６の実施形態では、筒状支持体１４６を建物４の内部に貫通して配設したが、このような構成に代えて、建物４の母屋１４８の外壁８６に沿って配設することも可能である。かかる場合には、筒状支持体１４６Ｆの一側面は建物４の外壁８６に連結固定され、筒状支持体１４６の上端部は、屋根６の庇部１４４に設けた開口３６Ｆを通して上方に延び、その下端部は、例えば一階部の屋根６に設けた開口３６Ｆを通して下方に延びて一階天井１５４に固定される。このように構成することにより、上述したのと同様の作用効果が達成される。また、導光手段１０Ｆは、図１２中に一点鎖線で示すように、上述した屈曲筒状部材を用いて屈曲させながら配設するようにしてもよい。
【００９８】
第７の実施形態
次に、図１３〜図１５を参照して、第７の実施形態の採光装置について説明する。図１３は、本発明の第７の実施形態による採光装置を示す概略断面図であり、図１４は、図１３の格子筒状部材を示す斜視図であり、図１５は、図１３の連結固定部材及びその周辺の構成を示す斜視図である。
【００９９】
図１３〜図１５において、この第７の実施形態の採光装置２Ｇは、例えば工場や倉庫、店舗などのように天井を有しない建物４Ｇに対して適用され、本実施形態では、建物４Ｆの屋根６Ｇは波形状の折版屋根から構成されている。採光手段８Ｇの取付部材１６Ｇは、プレート状の基台部２２Ｇと、基台部２２Ｇより上方に延びる円筒状の支持部２４とから構成されている。基台部２２Ｇの外周部には下方に延びる筒状の側カバー部９０Ｇが設けられている。この取付部材１６Ｇは、固定部材１５６及びプレート部材１５８を介して建物４Ｇの屋根６Ｇに取り付けられている。固定部材１５６は、中央部に開口を有する固定本体部１６２と、固定本体部１６２の内周部より上方に延びる取付筒部１６４と、固定本体部１６２の両端部よりそれぞれ下方に傾斜して延びる一対の固定部１６６とから構成されており、この固定部１６６の傾斜角度は、屋根６Ｇの凸部の傾斜角度に対応した角度に設定されている。プレート部材１５８の中央部には円形状の開口部１６８が設けられ、この開口部１６８の周囲には複数（本実施形態では４個）の貫通孔（図示せず）が設けられ、またプレート部材１５８の上面における開口部１６８の周囲には固定枠部１７０が設けられている。
【０１００】
この採光手段８Ｇの屋根６Ｇへの取付方法について説明すると、次の通りである。まず、屋根６Ｇの所定箇所に円形状の開口１７２を設け、プレート部材１５８の開口部１６８がこの屋根６Ｇの開口１７２に対応して配設されるようにしてプレート部材１５８を屋根６Ｇに載置する。なお、このプレート部材１５８は後述するようにして屋根６Ｇに固定される。そして、固定部材１５６の取付筒部１６４をプレート部材１５８の固定枠部１７０の外側部に装着した後に、取付部材１６Ｇの側カバー部９０Ｇを固定部材１５６の取付筒部１６４の外側部に装着し、取付ネジ１７４を用いて固定部材１５６の取付筒部１６４及び取付部材１６Ｇの側カバー部９０Ｇをそれぞれ固定枠部１７０の外側部に固定する。これにより、固定部材１５６及び取付部材１６Ｇが一体となってプレート部材１５８に固定され、取付部材１６Ｇが固定部材１５６及びプレート部材１５８を介して屋根６Ｇに取り付けられる。
【０１０１】
また、照射手段１４Ｇに関連して、照射手段１４Ｇを屋根から吊り下げて支持するための複数（本実施形態では４個）の支持部材１７６が設けられている。この支持部材１７６は長尺状の螺条棒から構成され、その長さは、屋根６Ｇと照射手段１４Ｇとの間の距離（すなわち、導光手段１０Ｇの長さ）に対応した長さに設定されている。複数の支持部材１７６の各々の上端部は、屋根６Ｇに設けた貫通孔（図示せず）及びプレート部材１５８の貫通孔を通して屋根６Ｇの上側に延び、各支持部材１７６の上端部に螺合された一対のナット部材１７８によって屋根６Ｇ及びプレート部材１５８を両側から挟着することにより、複数の支持部材１７６の各上端部が屋根６Ｇに取り付けられるとともにプレート部材１５８が屋根６Ｇに固定される。複数の支持部材１７６の各々は屋根６Ｇから下方に延びており、それらの各下端部には、各支持部材１７６の下端部に螺合された一対のナット部材１８０により支持用枠体１８２が取り付けられている。この支持用枠体１８２の開口部１８４には筒状の連結部材１８６が取り付けられており、この連結部材１８６の他端部には径方向外方に延びる係止リング部１８８が設けられ、この係止リング部１８８は取付ネジ（図示せず）により支持用枠体１８２の開口部１８４に取り付けられている。また、支持用枠体１８２の開口部１８４には、連結部材１８６の他端部を介して照射手段１４Ｇとしてのプレート状の拡散カバー部材３８Ｇが取り付けられている。
【０１０２】
また、複数の支持部材１７６を相互に連結固定するための連結固定部材１９０が設けられており、この連結固定部材１９０は矩形状の枠体から構成され、複数の支持部材１７６の配設位置に対応して複数の貫通孔（図示せず）が設けられている。これら複数の貫通孔にはそれぞれ複数の支持部材１７６が移動自在に挿入され、各支持部材１７６に螺合された一対のナット部材１９２により連結固定部材１９０が複数の支持部材１７６の所定部位に固定される。この連結固定部材１９０によって複数の支持部材１７６が相互に連結固定され、複数の支持部材１７６が相互によじれることがなく、複数の支持部材１７６を安定的に配設することができる。なお、本実施形態では、連結固定部材１９０を１つのみ設けているが、支持部材１７６の長さが比較的長い場合（例えば５〜１０ｍ程度）には、この連結固定部材１９０を所定間隔（例えば１ｍ間隔）毎に設けることが好ましい。
【０１０３】
導光手段１０Ｇは、光を導くための導光筒状部材１９４と、外部からの侵入を防止するための格子筒状部材１９６とを含んでいる。導光筒状部材１９４は、上記第１の実施形態と同様に、上端筒状部材６６、複数（本実施形態では２個）の中間筒状部材７０ａ，７０ｂ及び下端筒状部材６８がこの順に相互に接続されることにより構成されている。下端筒状部材６８の他端部は連結部材１８６の一端部に接続され、これにより導光手段１０Ｇの他端部は、連結部材１８６を介して照射手段１４Ｇに連結される。格子筒状部材１９６は、筒状本体１９８と、筒状本体１９８の内側に設けられる格子部材２００と、を有している。筒状本体１９８の外径は中間筒状部材７０ａ，７０ｂの外径よりも僅かに大きく構成され、また格子部材１９８は、例えば格子状に組み合わされた複数（本実施形態では４個）の金属棒２０２などから形成されており、これら複数の金属棒２０２の各端部は、筒状本体１９８の内周部に取り付けられている。この格子筒状部材１９６は、例えば中間筒状部材７０ａと中間筒状部材７０ｂとの間に配設され、具体的には、中間筒状部材７０ａの他端部は筒状本体１９８の上端開口よりその内部に挿入されて複数の金属棒２０２の各端部に当接され、また中間筒状部材７０ｂの一端部は筒状本体１９８の下側開口よりその内部に挿入されて複数の金属棒２０２の各端部に当接される。なお、格子部材２００の筒状本体１９８と中間筒状部材７０ａ，７０ｂとの継ぎ目には、例えばアルミニウムテープ（図示せず）などが貼着される。
【０１０４】
このように導光手段１０Ｇの内部には格子部材１９６が配設されるので、例えば外部からの侵入者がドーム部材１８を取付部材１６Ｇの支持部２４から取り外し、支持部２４の開口部より導光手段１０Ｇの内部を通して屋内に侵入しようとした場合であっても、この格子部材１９６によって侵入が遮断されるようになる。なお、格子筒状部材１９６は、支持部２４の開口部から手の届かない位置に配設するのが好ましく、これにより侵入者により外部から格子部材１９６を切断されるのを防止することができる。
【０１０５】
この第７の実施形態の採光装置２Ｇでは、照射手段１４Ｇは、複数の支持部材１７６により屋根６Ｇから吊り下げて支持されるので、例えば工場や倉庫、店舗などのように天井を有しない建物４Ｇに対して設置することが可能な採光手段２Ｇを提供することができる。また、屋根６Ｇにおける採光手段８Ｇの取付位置や、導光手段１０Ｇの長さを適宜設定することにより、例えば工場内における作業場所などに応じて、照射手段１４Ｇの配設位置を自在に設定することができる。
【０１０６】
なお、本実施形態では、屋根６Ｇを波形状の折版屋根から構成したが、これに限られず、例えば波形状のスレート屋根などから構成するようにしてもよく、適宜の形状の屋根を有する建物に対しても適用することができる。また、本実施形態では、導光手段１０Ｇは格子筒状部材１９６を有するように構成したが、上述した各実施形態及び以下に示す各実施形態の採光装置においてもこの格子筒状部材１９６を用いるようにしてもよい。
【０１０７】
第８の実施形態
次に、図１６及び図１７を参照して、第８の実施形態の採光装置について説明する。図１６は、本発明の第８の実施形態による採光装置を示す概略断面図であり、図１７は、図１６の分岐筒状部材を示す斜視図である。
【０１０８】
図１６及び図１７において、この第８の実施形態の採光装置２Ｈは、照射手段は、屋内の天井１２に設けられた主照射手段１４Ｈａと、屋内の内壁１４０に設けられた副照射手段１４Ｈｂと、を備えている。本実施形態では、主照射手段１４Ｈａの拡散カバー部材３８Ｈａの外径は、副照射手段１４Ｈｂの拡散カバー部材３８Ｈｂの外径よりも大きく構成されている。導光手段１０Ｈは、主導光部と２０４、主導光部２０４の側面から分岐して延びる分岐導光部２０６と、を有している。以下、この導光手段１０Ｈの具体的な構成について説明すると、導光手段１０Ｈは、上端筒状部材６６、中間筒状部材７０、分岐筒状部材２０８及び下端筒状部材６８がこの順に相互に接続されることにより構成されている。分岐筒状部材２０８は、本体筒状部２１０と、本体筒状部２１０の側面より分岐して延びる分岐筒状部２１２と、を有しており、この分岐筒状部２１２は、本体筒状部２１０の軸線Ｃに対して所定角度θ（例えば、３０度〜４５度程度）でもって下方に傾斜して延びた後に実質上水平方向に延びている。本実施形態では、分岐筒状部２１２の外径は、本体筒状部２１０の外径よりも小さく構成され、また本体筒状部２１０は、その一端側の外径が他端側の外径よりも幾分小さいテーパ状に構成されている。
【０１０９】
主導光部２０４は、上端筒状部材６６、中間筒状部材７０、分岐筒状部材２０８の本体筒状部２１０及び及び下端筒状部材６８から構成されており、主導光部２０４の導入部（すなわち、上端筒状部材６６の一端部）には採光手段８が取り付けられ、その導出部（すなわち、下端筒状部材６８の他端部）には主照射手段１４Ｈａが取り付けられている。また、分岐導光部２０６は、分岐筒状部材２０８の分岐筒状部２１２から構成され、分岐導光部２０６の導出部（すなわち、分岐筒状部２１２の端部）には副照射手段１４Ｈｂが取り付けられている。
【０１１０】
この第８の実施形態の採光装置２Ｈによる屋内の照明は、次のようにして行われる。採光手段８からの光は主導光部２０４の導入部よりその内部に導入されて、主導光部２０４の内面を乱反射しながら所定方向（主照射手段１４Ｈａの位置する方向）に導かれる。この所定方向に導かれた光の大部分は、主導光部２０４の導出部より出射されて主照射手段１４Ｈａにより屋内に照射される。また、この所定方向に導かれた光の一部は、分岐導光部２０６の内部に導入されてその内面を反射しながら副照射手段１４Ｈｂの位置する方向に導かれ（すなわち分岐され）、分岐導光部２０６の導出部より出射されて副照射手段１４Ｈｂにより屋内に照射される。ここで、分岐筒状部２１２は、上述のように本体筒状部２１０の軸線Ｃに対して所定角度θでもって下方に傾斜して延びているので、本体筒状部２１０からの光を効率的に分岐筒状部２１２に導入することができる。なお、本実施形態では、分岐筒状部２１２の外径は本体筒状部２１０の外径よりも小さく構成されているので、主照射手段１４Ｈａから照射される光の強度は、副照射手段１４Ｈｂから照射される光の強度よりも大きくなる。
【０１１１】
本実施形態では、分岐筒状部材２０８を１つのみ設けたが、複数設けるように構成してもよい。また、本実施形態では、分岐筒状部２１２の外径を本体筒状部２１０の外径よりも小さく構成したが、分岐筒状部２１２の外径と本体筒状部２１０の外径とが略同一になるように構成してもよく、かかる場合には、主照射手段１４Ｈａから照射される光の強度と副照射手段１４Ｈｂから照射される光の強度とがほぼ等しくなる。また、本実施形態では、分岐筒状部２１２の端部に副照射手段１４Ｈｂが取り付けられるように構成したが、この分岐筒状部２１２の端部に上述した屈曲筒状部材９８，１２８，１３０，１３２や中間筒状部材７０などを適宜接続し、これら筒状部材の端部に副照射手段１４Ｈｂが取り付けられるように構成してもよい。
【０１１２】
第９の実施形態
次に、図１８及び図１９を参照して、第９の実施形態の採光装置について説明する。図１８は、本発明の第９の実施形態による採光装置を示す概略断面図であり、図１９は、図１８の分配筒状部材を示す斜視図である。
【０１１３】
図１８及び図１９において、この第９の実施形態の採光装置２Ｊは、照射手段は、屋内の天井に設けられた第１及び第２照射部１４Ｊａ，１４Ｊｂを備え、また導光手段１０Ｊは、主導光部２１４と、主導光部２１４の導出部から複数股状（本実施形態では、二股状）に分岐して延びる第１及び第２分岐導光部２１６，２１８と、を有している。この第１及び第２分岐導光部２１６，２１８に関連して、導光手段１０Ｊは分配筒状部材２２０を有しており、この分配筒状部材２２０は、本体筒状部２２２と、本体筒状部２２２の他端部より二股状に分岐して延びる第１及び第２分配筒状部２２４，２２６と、を有している。この第１及び第２分配筒状部２２４，２２６はそれぞれ本体筒状部２２２の軸線Ｃと略平行に延びており、第１及び第２分配筒状部２２４，２２６の外径は略同一に構成され、またこれらの外径はそれぞれ本体筒状部２２２の外径と略同一又はこれよりもやや小さく構成されている。分配筒状部材２２０の本体筒状部２２２には、中間筒状部材７０ａ及び上端筒状部材６６が相互に接続され、その第１分配筒状部２２４には下端筒状部材６８が接続され、またその第２分配筒状部２２６には、９０度の角度に屈曲された屈曲筒状部材９８ａ、中間筒状部材７０ｂ及び９０度の角度に屈曲された屈曲筒状部材９８ｂがこの順に相互に接続されている。
【０１１４】
主導光部２１４は、上端筒状部材６６、中間筒状部材７０ａ及び分配筒状部材２２０の本体筒状部２２２から構成されており、主導光部２１４の導入部（すなわち、上端筒状部材６６の一端部）には採光手段８が取り付けられている。第１分岐導光部２１６は、分配筒状部材２２０の第１分配筒状部２２４及び下端筒状部材６８から構成され、この第１分岐導光部２１６の導出部（すなわち、下端筒状部材６８の他端部）には第１照射部１４Ｊａが取り付けられている。また、第２分岐導光部２１８は、分配筒状部材２２０の第２分配筒状部２２６、屈曲筒状部材９８ａ、中間筒状部材７０ｂ及び屈曲筒状部材９８ｂから構成され、この第２分岐導光部２１８の導出部（すなわち、屈曲筒状部材９８ｂの他端部）には第２照射部１４Ｊｂが取り付けられている。
【０１１５】
この第９の実施形態の採光装置２Ｊによる屋内の照明は、次のようにして行われる。採光手段８からの光は主導光部２１４の導入部よりその内部に導入されて、主導光部２１４の内面を乱反射しながら所定方向に導かれる。このように導かれた光の一部は、第１分岐導光部２１６に導入されてその内面を反射しながら第１照射部１４Ｊａの位置する方向に導かれ、第１分岐導光部２１６の端部より出射されて第１照射部１４Ｊａにより屋内に照射され、またこの光の残りは、第２分岐導光部２１８に導入されてその内面を反射しながら第２照射部１４Ｊｂの位置する方向に導かれ、第２分岐導光部２１８の端部より出射されて第２照射部１４Ｊｂにより屋内に照射される。したがって、採光手段８より主導光部２１４の内部に導入された光は、第１及び第２分岐導光部２１６，２１８にそれぞれ分配されるようになる。なお、上述のように第１及び第２分岐導光部２１６，２１８の外径は略同一に構成されているので、第１分配筒状部２２４の導出部から照射される光の強度と第２分配筒状部２２６の導出部から照射される光の強度とはほぼ等しくなる。
【０１１６】
なお、本実施形態では、導光手段１０Ｊは、主導光部２１４の導出部から二股状に分岐して延びるように構成したが、例えば三股状、四股状又は五股状以上に分岐して延びるように構成してもよい。
【０１１７】
第１０の実施形態
次に、図２０及び図２１を参照して、第１０の実施形態の採光装置について説明する。図２０は、本発明の第１０の実施形態による採光装置を示す概略断面図であり、図２１は、図２０中のＡ−Ａ線による導光手段及び照射手段の概略断面図である。
【０１１８】
図２０及び図２１において、この第１０の実施形態の採光装置２Ｋでは、照射手段は主照射手段１４Ｋａ及び補助照射手段１４Ｋｂを備えている。主照射手段１４Ｋａは、上記実施形態と同様に、家屋４の内壁１４０に取り付けられている。補助照射手段１４Ｋｂは長手状のプレート状の拡散カバー部材３８Ｋから構成され、この拡散カバー部材３８Ｋは、屋内の天井１２に取り付けられた固定用枠体２２８に支持されている。この固定用枠体２２８は、枠本体２３０と、枠本体２３０の下端部における外周部から外方に延びる下当接部２３２と、枠本体２３０の上端部における外周部から外方に延びる上当接部２３４と、を有している。天井１２には長手状の天井開口６２Ｋが設けられており、上当接部２３４と下当接部２３２との間にこの天井開口６２Ｋの周縁部を挟持させることにより、固定用枠体２２８が天井開口６２Ｋの周縁部に取り付けられる。枠本体２３０の下端部における内周部には取付凹部２３６が設けられており、この取付凹部２３６には拡散カバー部材３８Ｋが取り付けられる。
【０１１９】
導光手段１０Ｋは、上端筒状部材６６、複数（本実施形態では２個）の中間筒状部材７０ａ，７０ｂ、９０度の角度に屈曲された屈曲筒状部材９８、照射筒状部材２３８及び下端筒状部材６８がこの順に相互に接続されることにより構成されている。照射筒状部材２３８は可撓性を有する矩形状の薄板２４２から構成され、この薄板２４２の片面には、例えばアルミニウムフィルムを貼着する、あるいはアルミニウムの蒸着により反射面が形成されている。照射筒状部材２３８は、この反射面が内側になるように薄板２４２を筒状に湾曲させることにより形成される。本実施形態では、この照射筒状部材２３８は長筒状に形成され、その長さは、天井開口６２Ｋの長さ（すなわち、拡散カバー部材３８Ｋの長さ）に対応した長さに設定されている。この薄板２４２の一側部は、固定用枠体２２８の一側部における上当接部２３４と天井開口６２Ｋの一側部との間に挟持され、その他側部は、固定用枠体２２８の他側部における上当接部２３４と天井開口６２Ｋの他側部との間に挟持され、取付ネジ２４４を用いて薄板２４２の両側部をそれぞれ固定する。これにより薄板２４２は湾曲されて長筒状に保持され、このようにして構成された照射筒状部材２３８の断面は略円形状となる。照射筒状部材２３８の側面、すなわち薄板２４２の一側部とその他側部との間には長手状の導光用開口部２４６が形成され、この導光用開口部２４６は、天井開口６２Ｋを介して補助照射手段１４Ｋｂに連結される。
【０１２０】
また、下端筒状部材６８の他端部は、内壁１４０に設けた開口（図示せず）を通して主照射手段１４Ｋａに連結されている。なお、照射筒状部材２３８と屈曲筒状部材９８及び下端筒状部材６８との継ぎ目にはそれぞれ、例えばアルミニウムテープが貼着され、これにより各筒状部材９８，２３８，６８が相互に接続される。
【０１２１】
この第１０の実施形態の採光装置２Ｋによる屋内の照明は、次のようにして行われる。採光手段８からの光は、上端筒状部材６６、複数の中間筒状部材７０ａ，７０ｂ、屈曲筒状部材９８及び照射筒状部材２３８の内面を乱反射しながら所定方向（補助照射手段１４Ｋｂの位置する方向）に導かれる。このように導かれた光は、照射筒状部材２３８の導光用開口部２４６及び天井開口６２Ｋより出射され、拡散カバー部材３８Ｋにより屋内に照射される。また、照射筒状部材２３８の内面を乱反射しながらその他端部側へ導かれた光は、下端筒状部材６８の内面を乱反射された後にその他端部より出射され、主照射手段１４Ｋａにより屋内に照射される。したがって、採光手段８により導入された光は、導光手段１０Ｋの下端部及び側面よりそれぞれ屋内に照射されるので、効率的に屋内を照明することができる。
【０１２２】
本実施形態のように拡散カバー部材３８Ｋを長手状に構成した場合であっても、導光用開口部２４６をこの拡散カバー部材３８Ｋの外形状に対応して構成することにより、導光用開口部２４６からの光は拡散カバー部材３８Ｋの実質上全域に向けて出射され、これにより拡散カバー部材３８Ｋの実質上全域において均一な光の照度を得ることができる。
【０１２３】
なお、本実施形態では、導光手段１０Ｋの他端部に主照射手段１４Ｋａを連結するように構成したが、例えば、照射筒状部材２３８の他端部に終端筒状部材（図示せず）を接続することにより導光手段１０Ｋの他端部を閉塞するように構成してもよい。すなわち、終端筒状部材は、一端部が閉塞された筒状に構成され、その内面には上述したのと同様に反射面が形成されており、この終端筒状部材の他端部（開口部側）を照射筒状部材２３８の他端部に接続することにより、照射筒状部材２３８の他端部（すなわち、導光手段１０Ｋの他端部）が閉塞される。
【０１２４】
また、本実施形態では、導光手段１０Ｋの導光用開口部２４６を天井開口６２Ｋを介して補助照射手段１４Ｋｂに連結されるように構成したが、これに限られず、例えば、屋内の内壁１４０に開口を設け、この開口に固定用枠体２２８を取り付け、導光手段１０Ｋの導光用開口部２４６をこの開口を介して補助照射手段１４Ｋｂに連結するように構成してもよい。また、本実施形態では、照射筒状部材２３８を１つのみ設けたが、複数設けるように構成してもよい。
【０１２５】
また、本実施形態では、拡散カバー部材３８Ｋを長手状に構成したが、これに限定されることなく、例えば正方形や長方形などに構成しても良く、適宜の形状に構成することができ、これにより照射手段のバリエーションを高めることができる。
【０１２６】
第１１の実施形態
次に、図２２を参照して、第１１の実施形態の採光装置について説明する。図２２は、本発明の第１１の実施形態による採光装置の導光手段を示す概略断面図である。
【０１２７】
図２２において、この第１１の実施形態の採光装置２Ｌでは、導光手段１０Ｌは、外径の異なる複数（例えば１０個）の筒状部材２４８が相互に接続されることにより構成されている。相互に隣接する一対の筒状部材２４８のうち一方の筒状部材２４８は、その他方の筒状部材２４８の内部に収納自在に構成され、一方の筒状部材２４８の開口端（相互に接続される開口端）には、径方向外方に延びるリング状の係止突部２５０が設けられ、また他方の筒状部材２４８の開口端（相互に接続される開口端）には、径方向内方に延びる係止凹部２５２が設けられている。一方の筒状部材２４８が他方の筒状部材２４８の内部から引き出されると、一方の筒状部材２４８の係止突部２５０が他方の筒状部材２４８の係止凹部２５２に係止され、これにより一方の筒状部材２４８が他方の筒状部材２４８から脱着されるのが防止される。複数の筒状部材２４８のうち、最も先端側の筒状部材２４８ａが上端筒状部材として機能し、また最も基端側の筒状部材２４８ｂが下端筒状部材として機能し、最も先端側の筒状部材と最も基端側の筒状部材との間に配設された複数の筒状部材２４８ｃはそれぞれ中間筒状部材として機能される。最も先端側の筒状部材２４８ａ及び最も基端側の筒状部材２４８ｂの各々の開口端（相互に接続されない開口端）には、径方向外方に延びるリング状の被係止部２５４，２５６が設けられている。
【０１２８】
上述のように構成されているので、相互に隣接する一対の筒状部材２４８の一方の筒状部材２４８を他方の筒状部材２４８の内部から引き出すことによって、又は一方の筒状部材２４８を他方の筒状部材２４８の内部に収納することによって、導光手段１０Ｌの長さを容易に調節することができる。例えば、各筒状部材２４８をこれに隣接する筒状部材２４８の内部から引き出すことにより、導光手段１０Ｌの長さは最長長さ（例えば１０ｍ程度）に調節され、また各筒状部材２４８をこれに隣接する筒状部材２４８の内部に収納することにより、導光手段１０Ｌの長さは最短長さ（例えば１ｍ程度）に調節される。また、各筒状部材２４８の引出し量をそれぞれ調節することにより、導光手段１０Ｌの長さは、最長長さと最短長さとの間で自在に調節される。
【０１２９】
なお、導光手段１０Ｌが最長長さ（例えば１０ｍ程度）に調節された際には、採光手段（図示せず）と照射手段（図示せず）との相対的な位置関係に応じて、導光手段１０Ｌを全体として撓ませることにより、導光手段１０Ｌを採光手段と照射手段との間に適切に配設することができる。また、複数の筒状部材２４８をそれぞれテーパ状に構成するようにしてもよく、これにより、導光手段１０Ｌの外径は、その一端部から他端部にかけて漸増するように構成され、例えば、導光手段１０Ｌの一端部における外径は２５０ｍｍに、その他端部における外径は６００ｍｍに構成される。これにより照射手段からの光を比較的広範囲でもって室内に照射することができる。
【０１３０】
第１２の実施形態
次に、図２３及び図２４を参照して、第１２の実施形態の採光装置について説明する。図２３は、本発明の第１２の実施形態による採光装置を示す概略斜視図であり、図２４は、図２３の採光装置を示す概略断面図である。
【０１３１】
図２３及び図２４において、この第１２の実施形態の採光装置２Ｍでは、採光手段８Ｍは透光プレート部材２５８から構成されており、この透光プレート部材２５８は、例えば透明のガラスやポリカーボネートなどの合成樹脂などから形成され、建物の階床２６０（例えば、二階床）に設けられた採光用開口２６２に取り付けられている。この透光プレート部材２５８は、建物４の採光窓２６４（例えば、中連窓や掃出し窓等）の近傍に配設され、これにより、屋外からの太陽光がこの採光窓２６４を通して透光プレート部材２５８に導入される。照射手段１４Ｍは拡散プレート部材２６６から構成されており、この拡散プレート部材２６６は、例えば半透明のガラスや合成樹脂などから形成され、例えば室内の天井１２（例えば、一階天井）に設けられた照射用開口２６８に取り付けられている。
【０１３２】
導光手段１０Ｍは、断面矩形状の筒状の導光本体部２７０と、この導光本体部２７０の一端部より上方に傾斜して延びる筒状の導入部２７２と、この導光本体部２７０の他端部より下方に傾斜して延びる筒状の導出部２７４と、から構成され、導光本体部２７０、導入部２７２及び導出部２７４の各内面にはそれぞれ反射面が形成されている。導光本体部２７０は、階床下空間２７６（例えば、二階床と一階天井との間の空間）を実質上水平方向に延びて配設され、導入部２７２の開口部は、採光用開口２６２を介して透光プレート部材２５８に連結され、また導出部２７４の開口部は、照射用開口２６８を介して拡散プレート部材２６６に連結されている。
【０１３３】
この第１２の実施形態の採光装置２Ｍによる屋内の照明は、次のようにして行われる。屋外からの太陽光は、採光窓２６４を通して採光手段８Ｍが設置された室内に照射され、この光は、透光プレート部材２５８より導光手段１０Ｍの導入部２７２に導入される。この導入された光は、導入部２７２、導光本体部２７０及び導出部２７４の内面を乱反射しながら所定方向（照射手段１４Ｍが位置する方向）に導かれ、導出部２７４の開口部より出射して拡散プレート部材２６６により照射手段１４Ｍが設置された室内を上方より照明する。以上のように、採光手段８Ｍは屋内に設けられるので、採光窓２６４を通して屋内に照射された太陽光を採光手段８Ｍにより採光することができ、この採光した太陽光を例えば日当たりの悪い他の室内などに照射することができる。
【０１３４】
なお、本実施形態では、導出部２７４が導光本体部２７０の他端部より下方に傾斜して延びるように構成したが、図２４中に一点鎖線で示すように、上方に傾斜して延びるように構成してもよく、かかる場合には、拡散プレート部材２６６は、例えば採光手段８Ｍが配設された室内に隣接する室内の階床２６０に設けられた照射用開口２６８に取り付けられ、照射手段１４Ｍが設置された室内が下方より照明される。また、本実施形態では、採光手段８Ｍを階床２６０に設けたが、これに限られず、例えば次のようにして構成してもよい。すなわち、建物４の階床下空間２７３に対応する内壁１４０には三角状に突出した取付壁部２７５が設けられ、この取付壁部２７５は、屋根６に設けられた天窓２７７に対応して設けられている。この取付壁部２７５の上側面に設けられた採光用開口２６２Ｍには透光プレート部材２５８が取り付けられ、導光本体部２７０Ｍは階床下空間２７３に実質上水平方向に延びて配設され、導入部２７２Ｍの開口部は、採光用開口２６２Ｍを介して透光プレート部材２５８に連結され、導出部（図示せず）の開口部は、例えば天井（図示せず）に設けられた照射用開口（図示せず）を介して拡散プレート部材（図示せず）に連結される。この採光手段８Ｍの上方に配設される屋根６に設けられた天窓２７７を通して室内に導入された太陽光は、この採光手段８Ｍにより導入され、上述と同様にして室内に照射される。
【０１３５】
また、この採光手段８Ｍに代えて上述したドーム部材及び取付部材から構成される採光手段を用いてもよく、またこの導光手段１０Ｍに代えて上述した筒状の導光手段を用いるようにしてもよい。
【０１３６】
第１３の実施形態
次に、図２５を参照して、第１３の実施形態の採光装置について説明する。図２５は、本発明の第１３の実施形態による採光装置を示す概略断面図である。
【０１３７】
図２５において、この第１３の実施形態の採光装置２Ｎでは、建物４の外壁８６には、外方に三角状に突出した取付壁部２７８が設けられている。この取付壁部２７８の内部空間２８０は階床下空間２７６（例えば、二階床２６０と一階天井１２との間の空間）と連通され、この取付壁部２７８の上側面２８２は下方に傾斜しており、この上側面２８２に設けられた採光用開口２６２Ｎには、採光手段８Ｎとしての透光プレート部材２５８Ｎが取り付けられている。照射手段１４Ｎは拡散プレート部材２６６Ｎから構成され、この拡散プレート部材２６６Ｎは、例えば一階天井１２に設けられた照射用開口２６８Ｎに取り付けられている。導光手段１０Ｎは、導光本体部２７０と、この導光本体部２７０の一端部より上方に傾斜して延びる筒状の導入部２７２と、この導光本体部２７０の他端部より下方に傾斜して延びる筒状の導出部２７４Ｎと、から構成されている。導光本体部２７０は、階床下空間２７６を実質上水平方向に延びて配設され、導入部２７２の開口部は、採光用開口２６２Ｎを介して透光プレート部材２５８Ｎに連結され、また導出部２７４Ｎの開口部は、照射用開口２６８Ｎを介して拡散プレート部材２６６Ｎに連結されている。
【０１３８】
この第１３の実施形態の採光装置２Ｎでは、階床下空間２７６を有効に利用して導光手段１０Ｎを屋内に容易に配設することができる。なお、この採光手段８Ｎに代えて上述したドーム部材及び取付部材から構成される採光手段を用いてもよく、またこの導光手段１０Ｎに代えて上述した筒状の導光手段を用いるようにしてもよい。
【０１３９】
以上、本発明に従う採光装置の種々の実施形態について説明したが、本発明はかかる実施形態に限定されるものではなく、本発明の範囲を逸脱することなく種々の変形乃至修正が可能である。
【０１４０】
例えば、第８の実施形態の分岐筒状部材２０８及び第９の実施形態の分配筒状部材２２０はそれぞれ、上記各実施形態の採光装置２，２Ａ〜２Ｎに対して用いるようにしてもよい。
【図面の簡単な説明】
【０１４１】
【図１】本発明の第１の実施形態による採光装置を示す概略断面図である。
【図２】変形形態の採光装置を示す概略断面図である。
【図３】本発明の第２の実施形態による採光装置の概略斜視図である。
【図４】図３の採光装置の概略断面図である。
【図５】図３の採光装置における屈曲筒状部材を屈曲させない状態で示す概略断面図である。
【図６】図５の屈曲筒状部材を９０度の角度に屈曲させた状態で示す図である。
【図７】変形形態の屈曲筒状部材を屈曲させない状態で示す概略断面図である。
【図８】変形形態の屈曲筒状部材を９０度の角度に屈曲させた状態で示す図である。
【図９】本発明の第３の実施形態による採光装置を示す概略断面図である。
【図１０】本発明の第４の実施形態による採光装置の概略断面図である。
【図１１】本発明の第５の実施形態による採光装置を示す概略断面図である。
【図１２】本発明の第６の実施形態による採光装置を示す概略断面図である。
【図１３】本発明の第７の実施形態による採光装置を示す概略断面図である。
【図１４】図１３の格子筒状部材を示す斜視図である。
【図１５】図１３の連結固定部材及びその周辺の構成を示す斜視図である。
【図１６】本発明の第８の実施形態による採光装置を示す概略断面図である。
【図１７】図１６の分岐筒状部材を示す斜視図である。
【図１８】本発明の第９の実施形態による採光装置を示す概略断面図である。
【図１９】図１８の分配筒状部材を示す斜視図である。
【図２０】本発明の第１０の実施形態による採光装置を示す概略断面図である。
【図２１】図２０中のＡ−Ａ線による導光手段及び照射手段の概略断面図である。
【図２２】本発明の第１１の実施形態による採光装置の導光手段を示す概略断面図である。
【図２３】本発明の第１２の実施形態による採光装置を示す概略斜視図である。
【図２４】図２３の採光装置を示す概略断面図である。
【図２５】本発明の第１３の実施形態による採光装置を示す概略断面図である。
【符号の説明】
【０１４２】
２，２Ａ〜２Ｎ  採光装置
８，８Ａ〜８Ｇ，８Ｍ，８Ｎ  採光手段
１０，１０Ｂ〜１０Ｎ  導光手段
１４，１４Ｃ，１４Ｇ〜１４Ｎ  照射手段
２８  結露防止用テープ部材
６０  結露防止用シール部材
９８，１２８  屈曲筒状部材
１４６，１４６Ｆ  筒状支持体
１７６  支持部材
１８２  支持用枠体
１９０  連結固定部材
１９６  格子筒状部材
２００  格子部材
２２８  固定用枠体
２４６  導光用開口部
２５８，２５８Ｎ  透光プレート部材
【図１】
0004783203.tif 000002
【図２】
0004783203.tif 000003
【図３】
0004783203.tif 000004
【図４】
0004783203.tif 000005
【図５】
0004783203.tif 000006
【図６】
0004783203.tif 000007
【図７】
0004783203.tif 000008
【図８】
0004783203.tif 000009
【図９】
0004783203.tif 000010
【図１０】
0004783203.tif 000011
【図１１】
0004783203.tif 000012
【図１２】
0004783203.tif 000013
【図１３】
0004783203.tif 000014
【図１４】
0004783203.tif 000015
【図１５】
0004783203.tif 000016
【図１６】
0004783203.tif 000017
【図１７】
0004783203.tif 000018
【図１８】
0004783203.tif 000019
【図１９】
0004783203.tif 000020
【図２０】
0004783203.tif 000021
【図２１】
0004783203.tif 000022
【図２２】
0004783203.tif 000023
【図２３】
0004783203.tif 000024
【図２４】
0004783203.tif 000025
【図２５】
0004783203.tif 000026